(57)【要約】【課題】特には、熟練を要さず短時間で簡単に設置、撤去でき、また、設置（連結）後の平面が綺麗であり、簡単にレイアウト変更できて多目的に使用でき、しかも、撤去後でも繰返し使用できる（資材の無駄が省ける）              什器を提供すること。【解決手段】枠１１と、枠１１の表面に備えたパネル１２と、レベル調整を可能ならしめるレベル調整手段１５とを具備する複数の枠体１０を連結してなり、該枠体１０には、隣接する枠体を所望する位置関係に位置決めする位置決め手段１３と、隣接する枠体を係脱自在に連結する連結手段１４の両方を具備しており、必要に応じて、補強及び位置決め用の補強部材１６（かんぬき錠）をさらに有するところに構成特徴がある。【選択図】  図１
2004263488.tif 000002
【特許請求の範囲】
【請求項１】
枠と、該枠の表面に備えたパネルと、レベル調整を可能ならしめるレベル調整手段とを具備する複数の枠体を連結してなる什器であって、
該枠体が、互いに隣接する枠体を所望する位置関係に位置決めする位置決め手段と、隣接する枠体を係脱自在に連結する連結手段の両方を具備していることを特徴とする什器。
【請求項２】
前記什器に、補強及び位置決め用のカンヌキ構造体がさらに備えてあることを特徴とする請求項１記載の什器。
【請求項３】
前記位置決め手段は、係止ピンと係止穴とから構成されていることを特徴とする請求項１又は２記載の什器。
【請求項４】
前記連結手段は、バネ付き又はバネなしパッチン錠であることを特徴とする請求項１〜３のいずれか記載の什器。
【請求項５】
請求項１〜４のいずれかに記載の什器の組み立てに使用する枠体。
【発明の詳細な説明】
【０００１】
【発明の属する技術分野】
本発明は什器と該什器を構築するために使用される枠体に関するものであり、より詳しくは、構造が簡単で容易に連結でき、連結後の平面が綺麗で再使用でき、例えば飾り棚など多様な目的に使用できる什器及びこの什器を構築するために使用される枠体に関するものである。
【０００２】
ここで、本明細書において、”什器”とは、表面に化粧板やパネルなどを有する枠体複数を、一直線又は所望する所定の設置角度に連結し、建物内部空間の用途に応じて、間仕切り・衝立、展示パネル、試着室、展示用の棚やハンガー類、及びこれらに類するものとして使用できるものを総称する用語として使用する。
【０００３】
【従来の技術】
従来の係る什器としては、表面に化粧板などを有する複数の木製パネルを、一直線又は所望する所定設置角度に連結し、木製連結材を釘止めして連続壁を構築したものが一般的であり、汎用されている。
【０００４】
また、複数のアルミ製パネルの小口面と小端面のうち床側を除く三面に一条の溝を設置し、天井側と床側に一本のアジャスター金物で、パネルを建て、平鋼またはＨ形綱を雇い身として、前記溝に使用して連続壁を構築するものが提示されている（特許文献１参照）。
【０００５】
さらに、パネルは左右両端又はそのいずれかを平面形状が略鋭角である劣端部に形成し、該劣端部の上下両側の近傍に単数又は複数の平面状弧状の嵌着溝を上下方向に穿ち、この嵌着溝に環状の取付金具を嵌着して複数のパネルを連結することで連続壁を構築する方法も提案されている（特許文献２参照）。
【０００６】
【特許文献１】
特開６−４９９３４号公報、（特許請求の範囲、請求項１）
【特許文献１２】
特開９−９６０３１号公報、（図面１乃至３）
【０００７】
【発明が解決しようとする課題】
しかしながら、従来の木製連結材を使用する方法によると、各木製パネルを予め作製して設営現場にて構築できるものの、木製パネルを所望通りに配する作業が煩雑であることに加えて配管配線作業などが加わって手間取るため、設営作業に多数の作業員が必要であり、平滑な壁面を形成することが困難であるばかりか、長時間にわたる面倒な重作業が必要で設営経費高になるとか、作業騒音（金槌音やドリル音など）が発生する等の問題があった。
【０００８】
また、従来の木製連結材を使用する方法によると、特殊な用途に使用するものを除いて完全固定するので、あと移動させることは取り壊す以外まず不可能であり、撤去後に再利用して使用することができず、産業廃棄物として処分されていた。
【０００９】
一方、上記特許文献１や特許文献２等の方法によると、展示終了後に取り外して再利用できるものの、上述した木製パネルの場合と同様、所望通りに配し固定する長時間にわたる重作業が必要であり、設置、撤去作業に多数の人手が必要となって、設営経費高になるという問題があり、さらに、アルミパイプ製であるとアルミパイプが表面側に露出するため意匠上の問題が生じていた。
【００１０】
特に、特許文献２の方法によると、数種の連結金具により数種の連結角度を選択するように構成されているため、別途、特殊な連結金具を数種作製する必要となり、その汎用性という点において問題があった。
【００１１】
本発明は上記した従来の問題点に着目してなされたものであり、その目的とするところは、熟練を要さず短時間で簡単に設置、撤去でき、また、設置（連結）後の平面が綺麗であり、簡単にレイアウト変更できて多目的に使用でき、しかも、撤去後でも繰返し使用でき（資材の無駄が省け）る什器を提供するにある。
【００１２】
本発明の他の目的は、これら什器を構成する個々の枠体であって、構造が簡単で一定規格に合わせて製造できる枠体を提供するにある。」
【００１３】
【課題を解決するための手段】
上記の目的を達成するために採用した手段は、請求項１の発明は、枠と、該枠の表面に備えたパネルと、レベル調整を可能ならしめるレベル調整手段とを具備する複数の枠体を連結してなる什器であって、前記枠体が、互いに隣接する枠体を所望する位置関係に位置決めする位置決め手段と、隣接する枠体を係脱自在に連結する連結手段の両方を具備しているものを、その要旨とする。
【００１４】
請求項２の発明は、請求項１記載の什器において、前記什器に、補強及び位置決め用のカンヌキ構造体がさらに備えてあるものを、その要旨とする。
【００１５】
請求項３の発明は、請求項１又は２記載の什器において、前記位置決め手段は、係止ピンと係止穴とから構成されているものを、その要旨とする。
【００１６】
請求項４の発明は、請求項１〜３のいずれか記載の什器において、前記連結手段は、バネ付きまたはバネなしパッチン錠であるものを、その要旨とする。
【００１７】
つぎに、請求項５の発明は、請求項１〜４のいずれかに記載の什器の組み立てに使用する枠体を、その要旨とする。
【００１８】
【発明の実施の形態】
以下、本発明を実施例に基づいて説明するが、これはその代表例にすぎず、本発明の要旨を越えない限り、様々に設計変更できるものとする。
【００１９】
図１は本発明の什器１を説明するための斜視図である。この什器１は、レベル調整を可能ならしめるレベル調整手段１５を具備する複数の枠体１０が一直線状に連結されており、枠体１０は木材製の枠１１と、この枠１１の表面側に備えたパネル１２とを有する。ただし、前記枠１１の原材を限定するものではなく、例えばアルミ製の筒体などが例示できる。
【００２０】
また、互いに隣接する枠１１の側面には、両者を位置決めするとともにパネル１２表面を同一平面上に配するための２組の係止ピン１３ａと係止穴１３ｂ（位置決め手段１３）と、両者を連結支持するためのバネ付き又はバネなしパッチン錠１４ａ（連結手段１４）３組が互いに対向する位置に配設されている。
【００２１】
また、枠１１の底面にはＬ字又はＴ字形状のベース１５ａが取付けてある。ベース１５ａにはねじ１５ｂが設けられている。このねじ１５ｂは、枠１１のナット部に螺合されており、つまみを回転させることによって、枠に対するベースの固定と固定解除が行えるようになっている。すなわち、ねじを弛める方向に回転させた時に、枠１１に対してベース１５ａを上下方向に移動させることができるため、枠体１０の高さを調整することができる。そして高さ調整後にねじを締付けることでベース１５ａを枠体１０に固定するようになっている。
【００２２】
なお、枠体１０に備えた水平方向の桟に沿ってかんぬき錠などの補強部材１６が備えてあると、連結後の枠体１０平面の保持と強度補強ができるから好ましい。
【００２３】
パネル１２としては、例えば表裏を中比重繊維層（ＭＤＦ）、中間層を単板チップでなしこれらを同時に一体化しその表面に平滑性を備えた木質壁パネルや、塗装、クロス貼り、ビニールクロス貼り、単板貼り等を施したものなども例示できる。また、吸放湿性、断熱性、遮音特性などの機能などを付与しても良く、ポスターや写真等の図画を描写又は印刷した半透明アクリル板などの装飾板であっても構わない。
【００２４】
図２は、本発明となる枠体のバリエーションを説明するため、複数の枠体を模式的に組み付けた一什器を示す部分斜視図である。
【００２５】
図において、この什器２０は、枠体６個を直線状に配し互い隣接する枠体間を連結手段（図示されていない）にて一体に連結させたものである。
【００２６】
第１枠体２１は表面が平滑な板状に形成されたものである。第２枠体２２は、展示用の棚板２５やハンガー棒を装着するためのスリット２２ａ（又はニートモジュール）を有しているものである。第３枠体２３は第１枠体２１と第２枠体２２の間に配置され、前記棚板２５やハンガー棒の端縁部を覆う側壁２３ａを構築するためのものであり、また、枠体２３が前方に傾くことを防止するから、好ましい。そして、第４枠体２４は，横断面がＬ字形状で例えば隠し柱として機能するものである。
【００２７】
【発明の効果】
以上、本発明の枠体は、軽く、平積み、立てかけいずれも可能で、資材管理が楽になり、運搬や作業も楽に行なえる。また、施工にかかる手数が大幅に削減できるし、丈夫で精度の良い連続壁を効率良く構築できる。
【００２８】
また、枠体の組み付けのみで作業が一気に完了するので、工期も短縮できるし、工事に必要な人手も減少させることができる。さらに、組付け作業時に作業音（カナヅチ音やドリル音など）が発生することもなく、枠に取り付けるパネルを付け替えすることで様々な目的に応じた枠体に変更できる。
【００２９】
さらに、表面に棚部材を備えた飾り棚や、全面に突出する隠し柱などのように構成すれば、簡単な構造でありながらも様々な機能を付与でき、意匠性の向上が図れ、多目的な什器として使用できるなど、極めて実効性に優れた作用効果が得られる。
【図面の簡単な説明】
【図１】図１は本発明の什器を説明するための斜視図である。
【図２】図１は本発明の他の什器を説明するための要部斜視図である。
【符号の説明】
１    什器
１０    枠体
１１        枠
１２        パネル
１３    位置決め手段
１３ａ  係止ピン
１３ｂ  係止穴
１４        連結手段
１４ａ    バネ付きパッチン錠
１５    レベル調整手段
１５ａ  ベース
１５ｂ  ねじ
１６    補強部材（かんぬき錠）
２０    什器
２１    第１枠体
２２    第２枠体
２２ａ  スリット
２３    第３枠体
２３ａ  側壁
２４    第４枠体
２５    棚板
【図１】
2004263488.tif 000003
【図２】
2004263488.tif 000004